(57)【特許請求の範囲】
【請求項１】
円形天面壁と該天面壁の周縁から垂下する円筒形スカート壁とを具備し、該スカート壁には周方向に間隔をおいて周方向に延びる複数個のスリットと該スリット間に存在する複数個の橋絡部とから構成された周方向に延びる破断ラインが形成されており、該スカート壁は該破断ラインより上方の主部と該破断ラインよりも下方のタンパーエビデント裾部とに区画されており、該主部の内周面には雌螺条が形成され、該タンパーエビデント裾部の内周面には係止手段が配設されている合成樹脂製容器蓋において、
該タンパーエビデント裾部の内周面における該係止手段よりも上方の領域には、液体の流動を許容するため、周方向に間隔をおいて中心軸線方向に延びる複数個の溝が配設されており、該溝の下端は該係止手段の上端から上方に離隔せしめられている、ことを特徴とする合成樹脂製容器蓋。
【請求項２】
該係止手段は周方向に間隔をおいて配設され周方向に延在する複数個の係止突起から構成されており、該溝は隣接する係止突起間に配設されている、請求項１記載の合成樹脂製容器蓋。
【請求項３】
円筒形状の口頸部を有し、該口頸部の外周面には雄螺条と該雄螺条の下方に位置する係止あご部が形成されている容器と、
円形天面壁と該天面壁の周縁から垂下する円筒形スカート壁とを具備し、該スカート壁には周方向に間隔をおいて周方向に延びる複数個のスリットと該スリット間に存在する複数個の橋絡部とから構成された周方向に延びる破断ラインが形成されており、該スカート壁は該破断ラインより上方の主部と該破断ラインよりも下方のタンパーエビデント裾部とに区画されており、該主部の内周面には該容器の該雄螺条に螺合せしめられる雌螺条が形成され、該タンパーエビデント裾部の内周面には係止手段が配設されている合成樹脂製容器蓋とから成り、
該容器の該口頸部に該容器蓋を被嵌してせしめて閉方向に回転せしめ、該雄螺条に該雌螺条を螺合せしめて該容器の該口頸部に該容器蓋を所要とおりに装着すると、該容器蓋の該係止手段は該口頸部の該係止あご部を弾性的に乗り越えてその下方に位置し、該容器蓋の該タンパーエビデント裾部の内周面における該係止手段よりも上方の領域が該口頸部の該係止あご部に密接乃至接触せしめられる組み合わせにおいて、
該タンパーエビデント裾部の内周面における該係止手段よりも上方の該領域には、周方向に間隔をおいて複数個の溝が配設され、該溝の下端は該係止手段の上端から上方に離隔せしめられており、該口頸部の該係止あご部と該タンパーエビデント裾部の内周面との間には液体の流動を許容する複数個の排液路が規定されている、ことを特徴とする、組み合わせ。
【請求項４】
該係止手段は周方向に間隔をおいて配設され周方向に延在する複数個の係止突起から構成されており、該溝は隣接する係止突起間に配設されている、請求項３記載の組み合わせ。
【発明の詳細な説明】
【技術分野】
【０００１】
本発明は、スカート壁には周方向に間隔おいて周方向に延びるスリットとかかるスリット間に存在する橋絡部とから構成された周方向破断ラインが形成されており、スカート壁における周方向破断ラインよりも下方のタンパーエビデント裾部の内周面には係止手段が配設されている形態の合成樹脂製容器蓋、及びかような合成樹脂製容器蓋と口頸部の外周面には係止あご部が形成されている容器との組み合わせに関する。
【背景技術】
【０００２】
周知の如く、飲料包装用として、ガラス、合成樹脂或いは金属薄板から形成された容器と合成樹脂製容器蓋との組み合わせが広く実用に供されている。容器は円筒形状の口頸部を有し、この口頸部の外周面には雄螺条とこの雄螺条の下方に位置する係止あご部とが形成されている。合成樹脂製容器蓋の典型例としては、下記特許文献１及び２に開示されている形態の容器蓋を挙げることができる。かような容器蓋は円形天面壁とこの天面壁の周縁から垂下する円筒形スカート壁とを有する。スカート壁には、周方向に間隔をおいて周方向に延びるスリットとこれらのスリット間に存在する橋絡部とから構成されている周方向破断ラインが形成されており、スカート壁は周方向破断ラインよりも上方の主部と周方向破断ラインよりも下方のタンパーエビデント裾部とに区画されている。主部の内周面には雌螺条が形成され、タンパーエビデント裾部の内周面には係止手段が形成されている。
【０００３】
容器の口頸部を密封する際には、口頸部に容器蓋を被嵌せしめて閉回転方向に回転せしめ、口頸部の雄螺条に容器蓋の雌螺条を螺合せしめる。かくして口頸部に容器蓋を所要とおりに装着すると、容器蓋の係止手段は口頸部の係止あご部を弾性的に乗り越えてその下方に位置する。口頸部を開封して容器の内容物を消費する際には、容器蓋を開方向に回転せしめる。かくすると、雄螺条と雌螺条との螺合解除に応じて口頸部に対して容器蓋が上昇せしめられる。容器蓋が幾分上昇せしめられると、容器蓋の係止手段が口頸部の係止あご部に係止せしめられ、これによってタンパーエビデント裾部の上昇が阻止される。容器蓋の開方向への回転を続けると、スカート壁に形成されている周方向破断ラインが破断され、スカート壁のタンパーエビデント裾部が主部から分離される（或いは、タンパーエビデント裾部に軸線方向破断ラインが形成されている場合には、軸線方向破断ラインが破断されてタンパーエビデント裾部が無端環状から有端帯条に展開され、タンパーエビデント裾部は主部から完全に分離されることなく周方向の一部において主部に接続され続ける）。容器蓋の開方向への回転を続けると、タンパーエビデント裾部を残留せしめて容器蓋が（或いはタンパーエビデント裾部を含む容器蓋の全体が）口頸部から離脱され、口頸部が開封される。
【先行技術文献】
【特許文献】
【０００４】
【特許文献１】実公平５−１３７３５号公報
【特許文献２】特開２０１３−１２６８８１号公報
【発明の概要】
【発明が解決しようとする課題】
【０００５】
而して、容器蓋のタンパーエビデント裾部の内周面に形成される係止手段は、周方向に間隔をおいて周方向に延在する複数個の係止突起或いは周方向に連続して延びる環状係止突条等から構成することができるが、係止突起或いは係止突条の半径方向突出量は、成形型からの離脱の際の所謂無理抜きが過剰になるのを回避するために、そしてまた容器蓋を口頸部に装着する際の周方向破断ラインの破断を確実に回避するために、比較的小さい値に制限される。それ故に、口頸部を開封する際に、係止あご部に対する係止手段の係合が不充分になり、破断ラインの破断を伴うことなく係止手段が係止あご部を弾性的に乗り越えて上昇する所謂すっぽ抜けが発生する傾向がある。かようなすっぽ抜けを防止するために、上記特許文献１の開示においては、タンパーエビデント裾部における係止手段よりも上方の領域の内径を口頸部の係止あご部の外径よりも幾分小さく設定し、係止手段よりも上方においてタンパーエビデント裾部の内周面を係止あご部の外周面に密接せしめ、これによってタンパーエビデント裾部の弾性的変形乃至変位を抑制している。上記特許文献２の開示においては、タンパーエビデント裾部における係止手段よりも上方の領域を内径が下方に向かって漸次増大する逆円錐形状にせしめ、口頸部に容器蓋が所要とおりに装着された状態においてはタンパーエビデント裾部の内周面が口頸部の係止あご部の外周面に実質上接触せしめられた状態であるが、容器蓋を開方向に回転せしめて容器蓋を幾分上昇せしめると、タンパーエビデント裾部の内周面が口頸部の係止あご部の外周面に密接せしめられ、かくしてタンパーエビデント裾部の弾性的変形乃至変位が抑制されるようにしている。
【０００６】
一方、容器内に内容物を充填する際には、幾分かの内容物が口頸部の外周面に付着してしまうことが少なくない。それ故に、容器の口頸部に容器蓋を装着するのに先立って、口頸部の外周面に上水でよい洗浄液を噴射して口頸部の外周面に付着した内容物を洗浄している。加えて、口頸部に容器蓋を所要とおりに装着した後には、容器蓋の外周面に上水でよい洗浄液を噴射し、そしてまた洗浄液の噴射に続いて空気でよい乾燥気体を容器蓋に噴射して洗浄水を除去する。然るに、本発明者等の経験によれば、タンパーエビデント裾部の内周面が口頸部の係止あご部の外周面に密接乃至接触せしめられている場合、かかる密接乃至接触によって洗浄液の下方への流下が阻害され、乾燥気体の噴射後に口頸部の外周面に残留していた洗浄液が周方向破断ラインのスリットから流出して、タンパーエビデント裾部の外周面に付着し残留してしまう傾向がある。タンパーエビデント裾部の外周面には、一般に、インクジェットプリンターによって賞味期限等の印刷が施されるが、かかる部位に洗浄液が付着し残留せしめられていると、賞味期限等の印刷が阻害されてしまう。
【０００７】
本発明は上記事実に鑑みてなされたものであり、その主たる技術的課題は、容器の口頸部を開封する際には、タンパーエビデント裾部の内周面における係止手段よりも上方の領域を口頸部の係止あご部の外周面に密接せしめて、タンパーエビデント裾部の弾性的変形乃至変位を充分に抑制することができるにも拘わらず、口頸部の外周面に作用せしめられた洗浄液の流下が許容され、それ故にタンパーエビデント裾部の外周面に洗浄液が付着し残留することが充分確実に回避される、新規且つ改良された合成樹脂製容器蓋を提供し、そしてまたかかる合成樹脂製容器蓋と容器の組み合わせを提供することである。
【課題を解決するための手段】
【０００８】
本発明者等は、鋭意研究及び実験の結果、タンパーエビデント裾部の内周面における係止手段よりも上方の領域に周方向に間隔をおいて中心軸線方向に延びる複数個の溝を配設し、かかる溝によってタンパーエビデント裾部の内周面と口頸部の係止あご部との間に液体の流動を許容する排液路を規定することによって、上記主たる技術的課題を達成することができることを見出した。
【０００９】
即ち、本発明の一局面によれば、上記主たる技術的課題を達成する合成樹脂製容器蓋として、円形天面壁と該天面壁の周縁から垂下する円筒形スカート壁とを具備し、該スカート壁には周方向に間隔をおいて周方向に延びる複数個のスリットと該スリット間に存在する複数個の橋絡部とから構成された周方向に延びる破断ラインが形成されており、該スカート壁は該破断ラインより上方の主部と該破断ラインよりも下方のタンパーエビデント裾部とに区画されており、該主部の内周面には雌螺条が形成され、該タンパーエビデント裾部の内周面には係止手段が配設されている合成樹脂製容器蓋において、
該タンパーエビデント裾部の内周面における該係止手段よりも上方の領域には、液体の流動を許容するため、周方向に間隔をおいて中心軸線方向に延びる複数個の溝が配設されており、該溝の下端は該係止手段の上端から上方に離隔せしめられている、ことを特徴とする合成樹脂製容器蓋が提供される。
【００１０】
本発明の他の局面によれば、上記主たる技術的課題を達成する合成樹脂製容器蓋と容器との組み合わせとして、円筒形状の口頸部を有し、該口頸部の外周面には雄螺条と該雄螺条の下方に位置する係止あご部が形成されている容器と、
円形天面壁と該天面壁の周縁から垂下する円筒形スカート壁とを具備し、該スカート壁には周方向に間隔をおいて周方向に延びる複数個のスリットと該スリット間に存在する複数個の橋絡部とから構成された周方向に延びる破断ラインが形成されており、該スカート壁は該破断ラインより上方の主部と該破断ラインよりも下方のタンパーエビデント裾部とに区画されており、該主部の内周面には該容器の該雄螺条に螺合せしめられる雌螺条が形成され、該タンパーエビデント裾部の内周面には係止手段が配設されている合成樹脂製容器蓋とから成り、
該容器の該口頸部に該容器蓋を被嵌してせしめて閉方向に回転せしめ、該雄螺条に該雌螺条を螺合せしめて該容器の該口頸部に該容器蓋を所要とおりに装着すると、該容器蓋の該係止手段は該口頸部の該係止あご部を弾性的に乗り越えてその下方に位置し、該容器蓋の該タンパーエビデント裾部の内周面における該係止手段よりも上方の領域が該口頸部の該係止あご部に密接乃至接触せしめられる組み合わせにおいて、
該タンパーエビデント裾部の内周面における該係止手段よりも上方の該領域には、周方向に間隔をおいて複数個の溝が配設され、該溝の下端は該係止手段の上端から上方に離隔せしめられており、該口頸部の該係止あご部と該タンパーエビデント裾部の内周面との間には液体の流動を許容する複数個の排液路が規定されている、ことを特徴とする、組み合わせが提供される。
【００１１】
該係止手段は周方向に間隔をおいて配設され周方向に延在する複数個の係止突起から構成されており、該溝は隣接する係止突起間に配設されているのが好ましい。
【発明の効果】
【００１２】
本発明の合成樹脂製容器蓋及びかかる合成樹脂製容器蓋と容器との組み合わせにおいては、タンパーエビデント裾部の内周面における係止手段よりも上方の領域に周方向に間隔をおいて中心軸線方向に延びる複数個の溝が配設されており、かかる溝によってタンパーエビデント裾部の内周面と口頸部の係止あご部との間に液体の流動を許容する排液路が規定されている。それ故に、口頸部の外周面に作用せしめられた洗浄液の流下が許容され、タンパーエビデント裾部の外周面に洗浄液が付着し残留することが充分確実に回避される。溝は周方向に間隔をおいて配設されている故に、タンパーエビデント裾部の内周面における係止手段よりも上方の領域を口頸部の係止あご部の外周面に密接せしめて、タンパーエビデント裾部の弾性的変形乃至変位を充分に抑制する作用が阻害されることはない。
【図面の簡単な説明】
【００１３】
【図１】本発明に従って構成された合成樹脂製容器蓋の好適実施形態を、一部を断面で示す正面図。
【図２】図１に示す容器蓋の底面図。
【図３】図１に示す容器蓋における溝を示す拡大部分断面図。
【発明を実施するための形態】
【００１４】
以下、添付図面を参照して、本発明に従って構成された合成樹脂製容器蓋の好適実施形態について、更に詳述する。
【００１５】
図１を参照して説明すると、ポリエチレン又はポリプロピレンの如き適宜の合成樹脂から射出成形又は圧縮成形することができる容器蓋２は、円形天面壁４とこの天面壁４の周縁から垂下する円筒形スカート壁６とを具備する。天面壁４の内面外周縁部には、下方に垂下する比較的長い円筒形状の内側シール片８及び下方に垂下する比較的短い円筒形状の外側シール片１０が形成されている。更に、内側シール片８と外側シール片１０との間には比較的小さい環状突条１２が形成されている。
【００１６】
スカート壁６には周方向に延びる破断ライン１８が形成されており、スカート壁６は破断ライン１８より上方の主部２０と破断ライン１８より下方のタンパーエビデント裾部２２とに区画されている。図示の実施形態においては、破断ライン１８は周方向に延びる複数個のスリット（切り溝）２４とスリット２４間に残留せしめられている複数個の橋絡部２６とから構成されており、タンパーエビデント裾部２２は複数個の橋絡部２６を介して主部２０に接続されている。
【００１７】
スカート壁６の主部２０の外周面には、周方向に見て交互に存在する凹凸形状から構成された滑り止めローレット２８が形成されている。スカート壁６の主部２０の内周面には、雌螺条３０が形成され、かかる雌螺条３０には周方向に間隔をおいて複数個の切欠３２が形成されている。そして、切欠３２が形成されている部位においては、中心軸線方向（図１において上下方向）に延びる薄肉部３３が配設されている。
【００１８】
図１と共に図２を参照して説明すると、タンパーエビデント裾部２２の内周面には係止手段３４が配設されている。図示の実施形態においては、係止手段３４は周方向に間隔をおいて配設され周方向に延在する５個の係止突起３６から構成される。係止突起３６の各々の主部（両端部を除く部分）の縦断面形状は略直角三角形状であり、半径方向内方に向かって若干下方に傾斜して延びる上面と半径方向外方に向かって下方に傾斜して延びる下面とを有する。係止突起３６の周方向両端部においては、図２に図示する如く半径方向内方への突出量が周方向両端に向かって漸次低減せしめられており、そしてまた図１を参照することによって理解される如く下面の両端縁は下方に向かって周方向中央に傾斜せしめられている。所望ならば、周方向に間隔をおいて配設され周方向に延在する複数個の係止突起３６に替えて、周方向に連続して延びる環状係止突起から係止手段３４を構成することもできる。図１と共に図３を参照して説明を続けると、タンパーエビデント裾部２２の内周面における係止手段３４よりも上方の領域は、下方に向かって内径が漸次増大する略逆円錐台形状にせしめられるのが好都合である。図示の実施形態においては、タンパーエビデント裾部２２の内周面における係止手段３４よりも上方の領域は、断面図において円弧形状をなし下方に向かって漸次半径方向内方に突出せしめられている。断面図において半径方向内方に向かって下方に直線状に傾斜する形態にせしめることもできる。
【００１９】
上述したタンパーエビデント裾部２２の内周面における係止手段３４よりも上方の領域には、周方向に間隔をおいて中心軸線方向に延びる複数個の溝４０が配設されていることが重要である。図示の実施形態においては、溝４０の各々は周方向に見て隣接する係止突起３６間の各々における周方向中心位置に配設されている。溝４０の断面形状は略三角形状であり、溝の深さは上端から下方に向かって漸次増大し、次いで下方に向かって漸次低減している。溝４０の各々の下端は、図３に明確に図示するとおり、係止手段３４の上端から幾分上方に離隔されている。従って、図１及び図３に明確に図示するとおり、中心軸線方向に見て溝４０の下端と係止突起３６の上面との間には周方向に連続して延在する環状面４１が残留せしめられている。
【００２０】
図１には容器蓋２と共に容器の口頸部４２も図示されている。ポリエチレンテレフタレートの如き適宜の合成樹脂、ガラス或いは金属薄板から形成することができる容器の口頸部４２は全体として円筒形状であり、口頸部４２の外周面には雄螺条４４と雄螺条４４の下方に位置する係止あご部４６が形成されている。係止あご部４６は下方に向かって外径が漸次増大する弧状の上面、円筒形状の外周面及び実質上水平に延在する下面を有する。口頸部４２の外周面には、更に、係止あご部４６の下方に位置するサポートリング４８（かかるサポートリング４８は当業者には周知の如く容器の搬送に利用される）も配設されている。
【００２１】
容器内に内容物を充填した後においては、通常、容器の口頸部４２に容器蓋２を装着するのに先立って、口頸部４２の外周面に上水でよい洗浄液を噴射して口頸部４２の外周面に付着した内容物を洗浄する。しかる後に、口頸部４２に容器蓋２を被嵌して容器蓋２を閉回転方向、図１において上方から見て時計方向、に回転せしめ、容器蓋２の雌螺条３０を口頸部４２の雄螺条４４に螺合せしめる。図１に示す状態まで雌螺条３０を雄螺条４４に螺合せしめると、容器蓋２の内側シール片８が口頸部４２内に侵入して口頸部４２の内周面に密接され、環状突条１２が口頸部４２の頂面に密接せしめられ、外側シール片１０が口頸部４２の外周面に密接乃至近接せしめられ、かくして口頸部４２が密封される。タンパーエビデント裾部２２の内周面に配設されている係止突起３６は口頸部４２の係止あご部４６を弾性的に（即ちタンパーエビデント裾部２２の弾性変形乃至変位によって）乗り越えて係止あご部４６の下方に位置する。かかる状態にあっては、図１と共に図３を参照することによって理解されるとおり、タンパーエビデント裾部２２の内周面における係止手段３４よりも上方の領域は、口頸部４２の係止あご部４６の外周面下端部に接触乃至密接せしめられる。しかしながら、本発明に従って構成された容器蓋２においては、タンパーエビデント裾部２２の内周面における係止手段３４よりも上方の領域には周方向に間隔をおいて中心軸線方向に延びる溝４０が形成されて、かかる溝４０は口頸部４２の係止あご部４６の下面を越えて下方に延在せしめている故に、口頸部４２の係止あご部４６とタンパーエビデント裾部２２の内周面との間には液体の流動を許容する複数個の排液路５０が規定されている。
【００２２】
口頸部４２に容器蓋２を所要とおりに装着した後には、容器蓋２に上水でよい洗浄液を噴射し、次いで洗浄液の噴射に続いて空気でよい乾燥気体を容器蓋に噴射して洗浄水を除去する。本発明者等の経験によれば、容器蓋２に上記溝４０が形成されておらず、口頸部４２の係止あご部４６とタンパーエビデント裾部２２の内周面との間に液体の流動を許容する複数個の排液路５０が規定されていない場合には、乾燥気体を容器蓋２に噴射した後に、容器の口頸部４２に噴射されそこに残留していた洗浄液が周方向破断ライン１８におけるスリット２４を通って流出し、タンパーエビデント裾部２２の外周面に付着し残留してしまう傾向がある。然るに、本発明に従って構成された容器蓋２の場合には、上記溝４０の存在に起因して排液路５０が規定される故に、容器の口頸部４２に噴射されそこに残留していた洗浄液は排液路５０を通って流下する。従って、容器の口頸部４２に噴射されそこに残留していた洗浄液がスリット２４を通って流出することは可及的に回避される。容器蓋２に乾燥気体を噴射して洗浄水を除去した後には、通常、タンパーエビデント裾部２２の外周面に、例えばインクジェットプリンターによって賞味期限等の印刷が施されるが、容器の口頸部４２に噴射されそこに残留していた洗浄液がスリット２４を通って流出することは可及的に回避される故に、賞味期限等の印刷が阻害されることはない。
【００２３】
内容物を消費するために口頸部４２を開封する際には、容器蓋２を開方向、即ち図１において上方から見て反時計方向、に回転せしめる。かくすると、雄螺条４４と雌螺条３０の螺合が漸次解除され、スカート壁６の主部２０は回転と共に軸線方向上方に移動せしめられる。一方、タンパーエビデント裾部２２は係止突起３６が係止あご部４６に係止せしめられる故に軸線方向上方への移動が阻止され、かくして破断ライン１８の橋絡部２６に応力が生成されて橋絡部２６が破断され、タンパーエビデント裾部２２がスカート壁６の主部２０から切り離される。破断ライン１６が破断される際には、タンパーエビデント裾部２２における係止手段３４よりも上方の領域、更に詳しくは、溝４０の下端と係止手段３４の上面との間に残留せしめられている環状面４１、が口頸部４２の係止あご部４６の外周面下端部に密接せしめられる故に、タンパーエビデント裾部２２の弾性的な変形乃至変位が抑制され、破断ライン１６が破断されることなく係止突起３６が係止あご部４６を乗り越えて上昇してしまうことが充分確実に回避される。破断ライン１８が破断された後においては、タンパーエビデント裾部２２を口頸部４２に残留せしめて、容器蓋２の天面壁４及びスカート壁６の主部２０は回転と共に軸線方向上方に自由に移動せしめられて口頸部４２から離脱され、かくして口頸部４２が開封される。所望ならば、タンパーエビデント裾部２２に軸線方向破断ラインを形成し、容器の口頸部４２を開封する際には上記軸線方向破断ラインが破断され、一方周方向に延在する破断ライン１８はその一部が破断されることなく維持され、タンパーエビデント裾部２２が無端環状から有端環状に展開され、タンパーエビデント裾部２２と共に容器蓋２の全体が口頸部４２から離脱されるようになすこともできる。
【符号の説明】
【００２４】
２：容器蓋
４：天面壁
６：スカート壁
１８：周方向破断ライン
２０：スカート壁の主部
２２：タンパーエビデント裾部
２４：スリット
２６：橋絡部
３０：雌螺条
３４：係止手段
４０：溝
４２：口頸部
４４：雄螺条
４６：係止あご部
５０：排液路
【図１】
0006373099.tif 000002
【図２】
0006373099.tif 000003
【図３】
0006373099.tif 000004